(57)【要約】【課題】空腹時の血中インスリンと血糖を用いてインスリン抵抗性指数としてのＨＯＭＡ−Ｒの適否を示しうるＨＯＭＡ−Ｒ電子グラフ出力装置を提供する。【解決手段】空腹時血糖の第１軸と、空腹時血中インスリンの第２軸と、ＨＯＭＡ−Ｒが第１から第Ｎ（１以上の整数）の値となる空腹時血中インスリンと空腹時血糖の関係をそれぞれ示す第１から第Ｎの双曲線とを表すＨＯＭＡ−Ｒ電子グラフのグラフ画像データが記憶される画像データ記憶部１１、空腹時血糖及び空腹時血中インスリンの値を受け付ける受付部１２、受け付けられた空腹時血糖及び空腹時血中インスリンの値に対応する、ＨＯＭＡ−Ｒ電子グラフ上の位置を示すポイント図形のポイント図形画像データを生成する画像生成部１３、グラフ画像データ及びポイント図形画像データを出力する画像データ出力部１４を備える。【選択図】図１
0003145671.tif 000002
【実用新案登録請求の範囲】
【請求項１】
空腹時血糖を示す第１の軸と、前記第１の軸に直交し、空腹時血中インスリンを示す第２の軸と、インスリン抵抗性指数としてのＨＯＭＡ−Ｒ（ここで、「ＨＯＭＡ−Ｒ＝空腹時血糖（ｍｇ／ｄｌ）×空腹時血中インスリン（μＵ／ｍｌ）／４０５」である）が第１から第Ｎ（Ｎは１以上の整数である）の値となる場合の空腹時血中インスリンと空腹時血糖との関係をそれぞれ示す第１から第Ｎの双曲線とを表すＨＯＭＡ−Ｒ電子グラフの画像データであるグラフ画像データが記憶される画像データ記憶部と、
前記画像データ記憶部からグラフ画像データを読み出し、当該グラフ画像データを出力する画像データ出力部と、を備えたＨＯＭＡ−Ｒ電子グラフ出力装置。
【請求項２】
空腹時血糖の値と、空腹時血中インスリンの値とを受け付ける受付部と、
前記受付部が受け付けた空腹時血糖の値と、空腹時血中インスリンの値とに対応する、ＨＯＭＡ−Ｒ電子グラフの座標平面上の位置を示す図形であるポイント図形の画像データであるポイント図形画像データを生成する画像生成部と、をさらに備え、
前記画像データ出力部は、前記ポイント図形画像データをも出力する、請求項１記載のＨＯＭＡ−Ｒ電子グラフ出力装置。
【請求項３】
前記受付部は、前記ＨＯＭＡ−Ｒ電子グラフの座標平面上における前記ポイント図形の位置に関する指示を受け付けることによって、当該ポイント図形の位置に対応する空腹時血糖の値と、空腹時血中インスリンの値とを受け付ける、請求項２記載のＨＯＭＡ−Ｒ電子グラフ出力装置。
【請求項４】
前記画像生成部は、前記ポイント図形から前記第１の軸に垂直に引いた第１の垂直線の図形である第１の垂直線図形の画像データである第１の垂直線図形画像データと、前記ポイント図形から前記第２の軸に垂直に引いた第２の垂直線の図形である第２の垂直線図形の画像データである第２の垂直線図形画像データとをも生成し、
前記画像データ出力部は、前記第１の垂直線図形画像データと、前記第２の垂直線図形画像データとをも出力する、請求項２または請求項３記載のＨＯＭＡ−Ｒ電子グラフ出力装置。
【請求項５】
前記画像生成部は、前記受付部が受け付けた空腹時血糖の値の画像データであり、前記第１の軸と前記第１の垂直線図形との交点の位置に表示される画像データである空腹時血糖画像データと、前記受付部が受け付けた空腹時血中インスリンの値の画像データであり、前記第２の軸と前記第２の垂直線図形との交点の位置に表示される画像データである空腹時血中インスリン画像データとをも生成し、
前記画像データ出力部は、前記空腹時血糖画像データと、前記空腹時血中インスリン画像データとをも出力する、請求項４記載のＨＯＭＡ−Ｒ電子グラフ出力装置。
【請求項６】
前記画像生成部は、前記第１の軸と前記第１の垂直線図形との交点の位置を拡大した図形である第１の拡大図形の画像データである第１の拡大図形画像データと、前記第２の軸と前記第２の垂直線図形との交点の位置を拡大した図形である第２の拡大図形の画像データである第２の拡大図形画像データとをも生成し、
前記画像データ出力部は、前記第１の拡大図形画像データと、前記第２の拡大図形画像データとをも出力する、請求項４または請求項５記載のＨＯＭＡ−Ｒ電子グラフ出力装置。
【請求項７】
前記画像生成部は、前記受付部が受け付けた空腹時血糖の値と、空腹時血中インスリンの値とに対応するＨＯＭＡ−Ｒの値の画像データであるＨＯＭＡ−Ｒ画像データをも生成し、
前記画像データ出力部は、前記ＨＯＭＡ−Ｒ画像データをも出力する、請求項２から請求項６のいずれか記載のＨＯＭＡ−Ｒ電子グラフ出力装置。
【請求項８】
前記画像生成部は、前記ポイント図形の位置を拡大した図形であるポイント拡大図形の画像データであるポイント拡大図形画像データをも生成し、
前記画像データ出力部は、前記ポイント拡大図形画像データをも出力する、請求項２から請求項７のいずれか記載のＨＯＭＡ−Ｒ電子グラフ出力装置。
【請求項９】
前記画像データ出力部による出力は表示である、請求項１から請求項８のいずれか記載のＨＯＭＡ−Ｒ電子グラフ出力装置。
【請求項１０】
前記画像データ出力部による出力は送信である、請求項１から請求項８のいずれか記載のＨＯＭＡ−Ｒ電子グラフ出力装置。
【請求項１１】
前記第１から第Ｎの双曲線によって分けられたＮ＋１個の領域は、領域ごとに異なる色で着色されている、請求項１から請求項１０のいずれか記載のＨＯＭＡ−Ｒ電子グラフ出力装置。
【請求項１２】
Ｎは２であり、
前記ＨＯＭＡ−Ｒの第１の値は１．６であり、前記ＨＯＭＡ−Ｒの第２の値は２．５である、請求項１から請求項１１のいずれか記載のＨＯＭＡ−Ｒ電子グラフ出力装置。
【請求項１３】
前記ＨＯＭＡ−Ｒ電子グラフは、ＨＯＭＡ−Ｒが所定の値ごとの空腹時血中インスリンと空腹時血糖との関係を示す複数の補助双曲線をさらに表す、請求項１から請求項１２のいずれか記載のＨＯＭＡ−Ｒ電子グラフ出力装置。
【考案の詳細な説明】
【技術分野】
【０００１】
本考案は、空腹時血中インスリンと空腹時血糖とを直交する２軸にとったグラフ等の画像データを出力するＨＯＭＡ−Ｒ電子グラフ出力装置に関する。
【背景技術】
【０００２】
糖尿病の原因として、インスリン分泌不全とインスリン抵抗性が重要である。インスリン抵抗性とは、肥満や運動不足その他の原因によって、同じ濃度の血中インスリンが存在してもその効果が減弱していることを意味する。糖尿病患者の病的状態を把握し、適切な治療方法を決定するためにインスリン抵抗性を調べる必要があるが、従来、そのための簡便な方法として、インスリン抵抗性指数を確認する方法が提唱されている。そのインスリン抵抗性指数の一つであるＨＯＭＡ−Ｒ（ｈｏｍｅｏｓｔａｓｉｓ  ｍｏｄｅｌ  ａｓｓｅｓｓｍｅｎｔ  ｒａｔｉｏ、または、ｈｏｍｅｏｓｔａｓｉｓ  ｍｏｄｅｌ  ａｓｓｅｓｓｍｅｎｔ  ａｓ  ａｎ  ｉｎｄｅｘ  ｏｆ  ｉｎｓｕｌｉｎ  ｒｅｓｉｓｔａｎｃｅ）の有用性が広く認められている。それは、次式のようにして求めることができる（例えば、非特許文献１参照）。そのＨＯＭＡ−Ｒの値が、１．６以下の場合は正常であり、２．５以上の場合にインスリン抵抗性があると考えられる。ただし、インスリン治療中の患者には用いない。
【０００３】
ＨＯＭＡ−Ｒ＝
空腹時血糖（ｍｇ／ｄｌ）×空腹時血中インスリン（μＵ／ｍｌ）／４０５
【非特許文献１】日本糖尿病学会編、「糖尿病治療ガイド２００８−２００９」、文光堂、２００８年２月、ｐ．１０
【考案の開示】
【考案が解決しようとする課題】
【０００４】
しかしながら、上記の式を用いて医師等がインスリン抵抗性指数（ＨＯＭＡ−Ｒ）を算出するためには、電卓等を用いる必要があり、多忙な臨床において余計な手間となるために、この指数が用いられないということがあった。また、ＨＯＭＡ−Ｒの値を計算するには、そのＨＯＭＡ−Ｒの式を覚えておくか、あるいは、その式を参照しながら電卓等を用いた計算を行う必要があり、容易に算出することが困難であった。また、インスリン抵抗性があったとしても、その程度がわかりにくいという問題もあった。
【０００５】
一方、上記の式を用いてＨＯＭＡ−Ｒを算出する一般的な目的は、ＨＯＭＡ−Ｒの値を算出した上で、ＨＯＭＡ−Ｒが正常範囲にあるのか、あるいは、異常な範囲にあるのかなどのインスリン抵抗性に関する情報を知るためであることが多かった。
【０００６】
本考案は、上記の状況を考慮してなされたものであり、空腹時血中インスリンと、空腹時血糖とを用いて、インスリン抵抗性指数の一つであるＨＯＭＡ−Ｒが正常な範囲にあるのかどうかなどのインスリン抵抗性に関する情報を容易に知ることができるＨＯＭＡ−Ｒ電子グラフ出力装置を提供することを目的とする。
【課題を解決するための手段】
【０００７】
上記目的を達成するため、本考案によるＨＯＭＡ−Ｒ電子グラフ出力装置は、空腹時血糖を示す第１の軸と、前記第１の軸に直交し、空腹時血中インスリンを示す第２の軸と、インスリン抵抗性指数としてのＨＯＭＡ−Ｒ（ここで、「ＨＯＭＡ−Ｒ＝空腹時血糖（ｍｇ／ｄｌ）×空腹時血中インスリン（μＵ／ｍｌ）／４０５」である）が第１から第Ｎ（Ｎは１以上の整数である）の値となる場合の空腹時血中インスリンと空腹時血糖との関係をそれぞれ示す第１から第Ｎの双曲線とを表すＨＯＭＡ−Ｒ電子グラフの画像データであるグラフ画像データが記憶される画像データ記憶部と、前記画像データ記憶部からグラフ画像データを読み出し、当該グラフ画像データを出力する画像データ出力部と、を備えたものである。
【０００８】
このような構成により、ＨＯＭＡ−Ｒ電子グラフを出力することができる。そして、その出力されたＨＯＭＡ−Ｒ電子グラフを参照することにより、空腹時血中インスリンと空腹時血糖とが分かれば、インスリン抵抗性指数としてのＨＯＭＡ−Ｒが、第１から第Ｎの双曲線によって分けられたＮ＋１個の領域のうちのどの領域に存在するのかを容易に知ることができる。したがって、第１から第Ｎの値を適切に設定しておくことにより、例えば、ＨＯＭＡ−Ｒが正常な範囲に存在するのか、あるいは、異常な範囲に存在するのかなどを容易に知ることができるようになる。また、異常な範囲に存在する場合に、その異常の程度を視覚的に容易に把握することができるようになる。
【０００９】
また、本考案によるＨＯＭＡ−Ｒ電子グラフ出力装置では、空腹時血糖の値と、空腹時血中インスリンの値とを受け付ける受付部と、前記受付部が受け付けた空腹時血糖の値と、空腹時血中インスリンの値とに対応する、ＨＯＭＡ−Ｒ電子グラフの座標平面上の位置を示す図形であるポイント図形の画像データであるポイント図形画像データを生成する画像生成部と、をさらに備え、前記画像データ出力部は、前記ポイント図形画像データをも出力してもよい。
【００１０】
このような構成により、ポイント図形がＨＯＭＡ−Ｒ電子グラフに表示されることになり、受け付けられた空腹時血糖の値と、空腹時血中インスリンの値とに対応する座標平面上の位置を容易に示すことができる。その結果、ＨＯＭＡ−Ｒ電子グラフを見るユーザは、ポイント図形の位置を確認することによって、ＨＯＭＡ−Ｒが正常な範囲にあるのかどうかなどのインスリン抵抗性に関する情報を容易に知ることができる。
【００１１】
また、本考案によるＨＯＭＡ−Ｒ電子グラフ出力装置では、前記受付部は、前記ＨＯＭＡ−Ｒ電子グラフの座標平面上における前記ポイント図形の位置に関する指示を受け付けることによって、当該ポイント図形の位置に対応する空腹時血糖の値と、空腹時血中インスリンの値とを受け付けてもよい。
【００１２】
このような構成により、ＧＵＩ（Ｇｒａｐｈｉｃａｌ  Ｕｓｅｒ  Ｉｎｔｅｒｆａｃｅ）を用いて、直感的に空腹時血糖の値と、空腹時血中インスリンの値とを入力することができるようになり、それらの値を入力するユーザの利便性が向上されることになる。
【００１３】
また、本考案によるＨＯＭＡ−Ｒ電子グラフ出力装置では、前記画像生成部は、前記ポイント図形から前記第１の軸に垂直に引いた第１の垂直線の図形である第１の垂直線図形の画像データである第１の垂直線図形画像データと、前記ポイント図形から前記第２の軸に垂直に引いた第２の垂直線の図形である第２の垂直線図形の画像データである第２の垂直線図形画像データとをも生成し、前記画像データ出力部は、前記第１の垂直線図形画像データと、前記第２の垂直線図形画像データとをも出力してもよい。
【００１４】
このような構成により、第１及び第２の垂直線図形がＨＯＭＡ−Ｒ電子グラフに表示されることになり、ポイント図形に対応する空腹時血糖の値と空腹時血中インスリンの値とを容易に知ることができるようになる。その結果、例えば、ポイント図形の位置に対応する空腹時血糖の値と空腹時血中インスリンの値を受け付ける場合に、目標とするポイント図形の位置を早く見つけることができるようになりうる。
【００１５】
また、本考案によるＨＯＭＡ−Ｒ電子グラフ出力装置では、前記画像生成部は、前記受付部が受け付けた空腹時血糖の値の画像データであり、前記第１の軸と前記第１の垂直線図形との交点の位置に表示される画像データである空腹時血糖画像データと、前記受付部が受け付けた空腹時血中インスリンの値の画像データであり、前記第２の軸と前記第２の垂直線図形との交点の位置に表示される画像データである空腹時血中インスリン画像データとをも生成し、前記画像データ出力部は、前記空腹時血糖画像データと、前記空腹時血中インスリン画像データとをも出力してもよい。
【００１６】
このような構成により、空腹時血糖の値と空腹時血中インスリンの値とがＨＯＭＡ−Ｒ電子グラフに表示されることになり、ポイント図形に対応する空腹時血糖の値と空腹時血中インスリンの値との厳密な値を容易に知ることができるようになる。
【００１７】
また、本考案によるＨＯＭＡ−Ｒ電子グラフ出力装置では、前記画像生成部は、前記第１の軸と前記第１の垂直線図形との交点の位置を拡大した図形である第１の拡大図形の画像データである第１の拡大図形画像データと、前記第２の軸と前記第２の垂直線図形との交点の位置を拡大した図形である第２の拡大図形の画像データである第２の拡大図形画像データとをも生成し、前記画像データ出力部は、前記第１の拡大図形画像データと、前記第２の拡大図形画像データとをも出力してもよい。
【００１８】
このような構成により、第１及び第２の拡大図形がＨＯＭＡ−Ｒ電子グラフに表示されることになり、ポイント図形に対応する空腹時血糖の値と空腹時血中インスリンの値との詳細な値を容易に知ることができるようになる。
【００１９】
また、本考案によるＨＯＭＡ−Ｒ電子グラフ出力装置では、前記画像生成部は、前記受付部が受け付けた空腹時血糖の値と、空腹時血中インスリンの値とに対応するＨＯＭＡ−Ｒの値の画像データであるＨＯＭＡ−Ｒ画像データをも生成し、前記画像データ出力部は、前記ＨＯＭＡ−Ｒ画像データをも出力してもよい。
【００２０】
このような構成により、受け付けられた空腹時血糖の値と空腹時血中インスリンの値とに対応するＨＯＭＡ−Ｒの値がＨＯＭＡ−Ｒ電子グラフに表示されることになり、ポイント図形に対応するＨＯＭＡ−Ｒを容易に知ることができるようになる。
【００２１】
また、本考案によるＨＯＭＡ−Ｒ電子グラフ出力装置では、前記画像生成部は、前記ポイント図形の位置を拡大した図形であるポイント拡大図形の画像データであるポイント拡大図形画像データをも生成し、前記画像データ出力部は、前記ポイント拡大図形画像データをも出力してもよい。
【００２２】
このような構成により、ポイント図形の位置が拡大して表示されることになり、ポイント図形に対応する空腹時血糖や空腹時血中インスリンの値を容易に知ることができるようになる。
【００２３】
また、本考案によるＨＯＭＡ−Ｒ電子グラフ出力装置では、前記画像データ出力部による出力は表示であってもよく、送信であってもよい。
このような構成により、グラフ画像データ等が表示されたり、送信されたりするようになる。
【００２４】
また、本考案によるＨＯＭＡ−Ｒ電子グラフ出力装置では、前記第１から第Ｎの双曲線によって分けられたＮ＋１個の領域は、領域ごとに異なる色で着色されていてもよい。
このような構成により、Ｎ＋１個の領域を容易に識別可能なようにすることができうる。
【００２５】
また、本考案によるＨＯＭＡ−Ｒ電子グラフ出力装置では、前記ＨＯＭＡ−Ｒ電子グラフは、ＨＯＭＡ−Ｒが所定の値ごとの空腹時血中インスリンと空腹時血糖との関係を示す複数の補助双曲線をさらに表してもよい。
このような構成により、補助双曲線を用いて、例えば、ＨＯＭＡ−Ｒのおおよその値を知ることができるようになる。
【考案の効果】
【００２６】
本考案によるＨＯＭＡ−Ｒ電子グラフ出力装置によれば、空腹時血中インスリンと、空腹時血糖とを用いて、インスリン抵抗性指数の一つであるＨＯＭＡ−Ｒが正常な範囲にあるのかどうかなどのインスリン抵抗性に関する情報を容易に知ることができる。
【考案を実施するための最良の形態】
【００２７】
以下、本考案によるＨＯＭＡ−Ｒ電子グラフ出力装置について、実施の形態を用いて説明する。なお、以下の実施の形態において、同じ符号を付した構成要素及びステップは同一または相当するものであり、再度の説明を省略することがある。
【００２８】
（実施の形態１）
本考案の実施の形態１によるＨＯＭＡ−Ｒ電子グラフ出力装置について、図面を参照しながら説明する。
【００２９】
図１は、本実施の形態によるＨＯＭＡ−Ｒ電子グラフ出力装置１の構成を示すブロック図である。本実施の形態によるＨＯＭＡ−Ｒ電子グラフ出力装置１は、画像データ記憶部１１と、受付部１２と、画像生成部１３と、画像データ出力部１４とを備える。
【００３０】
画像データ記憶部１１では、グラフ画像データが記憶される。グラフ画像データは、ＨＯＭＡ−Ｒ電子グラフの画像データであり、最終的にＨＯＭＡ−Ｒ電子グラフを表示することができる画像データであれば、例えば、ラスタデータのように画像そのものであってもよく、ベクタデータのようにラスタライズされることによって画像となるデータであってもよい。ＨＯＭＡ−Ｒ電子グラフ２０は、図４で示されるように、第１の軸２１と、第２の軸２２と、第１の双曲線２３と、第２の双曲線２４とを表示する。
【００３１】
第１の軸２１は、変数である空腹時血糖（ｍｇ／ｄｌ）を示す軸である。また、第２の軸２２は、変数である空腹時血中インスリン（μＵ／ｍｌ）を示す軸である。なお、第２の軸２２は、第１の軸に直交している。なお、図４では、空腹時血糖を横軸にとり、空腹時血中インスリンを縦軸にとっているが、その逆であってもよいことは言うまでもない。また、第１の軸２１の近傍に、図４で示されるように、その軸で示している変数が空腹時血糖であることを示す情報、例えば、「空腹時血糖」の文字列が表示されていてもよい。また、その第１の軸２１に、図４で示されるように、目盛と数値が表示されていてもよい。第２の軸２２についても同様であり、第２の軸２２の近傍に、その軸で示している変数が空腹時血中インスリンであることを示す情報、例えば、「空腹時血中インスリン」の文字列が表示されていてもよい。また、その第２の軸２２に、目盛と数値が表示されていてもよい。
【００３２】
第１の双曲線２３は、インスリン抵抗性指数としてのＨＯＭＡ−Ｒが第１の値となる場合の空腹時血中インスリンと空腹時血糖との関係を示す双曲線である。また、第２の双曲線２４は、ＨＯＭＡ−Ｒが第２の値となる場合の空腹時血中インスリンと空腹時血糖との関係を示す双曲線である。ここで、ＨＯＭＡ−Ｒは、前述の通りであり、次式で表されるものである。
【００３３】
ＨＯＭＡ−Ｒ＝
空腹時血糖（ｍｇ／ｄｌ）×空腹時血中インスリン（μＵ／ｍｌ）／４０５
【００３４】
この式から明らかなように、ＨＯＭＡ−Ｒが一定の値である曲線は、双曲線となる。また、本実施の形態では、ＨＯＭＡ−Ｒの第１の値は「１．６」であり、第２の値は「２．５」であるとする。なお、これらの値は、それらと別の適切な値であってもよいことは言うまでもない。
【００３５】
このＨＯＭＡ−Ｒ電子グラフ２０で表示されるグラフでは、第１の双曲線２３と、第２の双曲線２４とによって座標平面が３個の領域に分けられている。すなわち、第１の軸２１と、第２の軸２２と、第１の双曲線２３とによって区切られる領域（この領域を「第１の領域」と呼ぶことにする）と、第２の軸２２と、第１の双曲線２３と、第２の双曲線２４とによって区切られる領域（この領域を「第２の領域」と呼ぶことにする）と、第２の双曲線２４によって区切られる領域（この領域を「第３の領域」と呼ぶことにする）とに分けられている。なお、第１の双曲線２３は、ＨＯＭＡ−Ｒが１．６の双曲線であり、第２の双曲線２４は、ＨＯＭＡ−Ｒが２．５の双曲線であるため、第１の領域は、ＨＯＭＡ−Ｒが１．６より小さい領域となり、第２の領域は、ＨＯＭＡ−Ｒが１．６より大きく２．５より小さい領域となり、第３の領域は、ＨＯＭＡ−Ｒが２．５より大きい領域となる。図１では、それらの領域ごとに異なる種類の網掛けを行っているが、それらの網掛けは異なる色に対応していてもよい。すなわち、第１の双曲線２３と、第２の双曲線２４とによって分けられた３個の領域、すなわち、第１から第３の領域は、領域ごとに異なる色で着色されていてもよい。
【００３６】
第１の領域はＨＯＭＡ−Ｒが１．６より小さい領域であるため、「インスリン抵抗性なし」の領域となる。一方、第３の領域はＨＯＭＡ−Ｒが２．５より大きいため、「インスリン抵抗性あり」の領域となる。また、第２の領域はＨＯＭＡ−Ｒが１．６から２．５の間であるため、「インスリン抵抗性ややあり」の領域となる。なお、各領域のインスリン抵抗性を明らかにするため、図４で示されるように、領域ごとに「インスリン抵抗性なし」「インスリン抵抗性ややあり」「インスリン抵抗性あり」の文言を表示していてもよい。
【００３７】
画像データ記憶部１１にグラフ画像データが記憶される過程は問わない。例えば、記録媒体を介してグラフ画像データが画像データ記憶部１１で記憶されるようになってもよく、通信回線等を介して送信されたグラフ画像データが画像データ記憶部１１で記憶されるようになってもよく、あるいは、入力デバイスを介して入力されたグラフ画像データが画像データ記憶部１１で記憶されるようになってもよい。画像データ記憶部１１での記憶は、ＲＡＭ等における一時的な記憶でもよく、あるいは、長期的な記憶でもよい。画像データ記憶部１１は、所定の記録媒体（例えば、半導体メモリや磁気ディスク、光ディスクなど）によって実現されうる。
【００３８】
受付部１２は、空腹時血糖の値と、空腹時血中インスリンの値とを受け付ける。これらの値は、例えば、ＨＯＭＡ−Ｒ電子グラフ２０における位置を特定したり、ＨＯＭＡ−Ｒの値を算出したりするために用いられるものである。
【００３９】
受付部１２は、例えば、入力デバイス（例えば、キーボードやテンキーなど）から入力された空腹時血糖の値と空腹時血中インスリンの値とを受け付けてもよく、患者の検査値を管理しているデータベースや電子カルテ等の記録媒体（例えば、光ディスクや磁気ディスク、半導体メモリなど）から読み出された空腹時血糖の値と、空腹時血中インスリンの値とを受け付けてもよく、有線もしくは無線の通信回線を介して送信された空腹時血糖の値と空腹時血中インスリンの値とを受信してもよい。また、受付部１２は、ＨＯＭＡ−Ｒ電子グラフ２０の座標平面上における後述するポイント図形の位置に関する指示を受け付けることによって、そのポイント図形の位置に対応する空腹時血糖の値と空腹時血中インスリンの値とを受け付けてもよい。この場合には、例えば、マウスやタッチパネル等でＨＯＭＡ−Ｒ電子グラフ２０の対応する箇所をクリックすることなどによって、空腹時血糖の値と空腹時血中インスリンの値とを受け付けることになる。ポイント図形の位置に関する指示とは、例えば、ポイント図形を初めて設定する位置を決定する指示であってもよく（この場合には、この指示によってポイント図形がＨＯＭＡ−Ｒ電子グラフ２０上に表示されることになる。例えば、ＨＯＭＡ−Ｒ電子グラフ２０の該当箇所をクリックすることなどによってポイント図形が設定される）、すでに表示されているポイント図形を移動させる指示であってもよい（例えば、すでに表示されているポイント図形をマウスでドラッグ等することによって移動させてもよく、あるいは、ポイント図形の新たな位置をクリック等することによって移動させてもよい）。この場合には、例えば、受付部１２は、ＨＯＭＡ−Ｒ電子グラフ２０におけるポイント図形の座標値（例えば、第１の軸２１方向の画素数と、第２の軸２２方向の画素数であってもよく、その他の座標値であってもよい）と、その座標値に対応する空腹時血糖の値と空腹時血中インスリンの値とを対応付ける情報を用いて、そのポイント図形の位置に対応する空腹時血糖の値と空腹時血中インスリンの値とを受け付けてもよい。なお、座標値と、空腹時血糖の値及び空腹時血中インスリンの値とを対応付ける情報は、例えば、両者を対応付けるテーブル形式の情報であってもよく、あるいは、座標値を引数とする関数であってもよい。なお、受付部１２は、受け付けを行うためのデバイス（例えば、モデムやネットワークカードなど）を含んでもよく、あるいは含まなくてもよい。また、受付部１２は、ハードウェアによって実現されてもよく、あるいは所定のデバイスを駆動するドライバ等のソフトウェアによって実現されてもよい。
【００４０】
画像生成部１３は、ポイント図形画像データ、第１及び第２の垂直線図形画像データ、空腹時血糖画像データ、空腹時血中インスリン画像データ、ＨＯＭＡ−Ｒ画像データを生成する。なお、これらのデータについて、図５を参照しながら説明する。
【００４１】
ポイント図形画像データは、ポイント図形３１の画像データである。ポイント図形３１は、受付部１２が受け付けた空腹時血糖の値と、空腹時血中インスリンの値とに対応する、ＨＯＭＡ−Ｒ電子グラフ２０の座標平面上の位置を示す図形である。したがって、ポイント図形３１がＨＯＭＡ−Ｒ電子グラフ２０上に表示され、そのポイント図形３１がどの領域に存在するのかを見ることによって、インスリン抵抗性を判断することができる。
【００４２】
第１の垂直線図形画像データは、第１の垂直線図形３２の画像データである。第１の垂直線図形３２は、ポイント図形３１から第１の軸２１に垂直に引いた第１の垂直線の図形である。この第１の垂直線図形３２と第１の軸２１との交点によって、ポイント図形３１の位置に対応する空腹時血糖の値を容易に知ることができるようになる。
【００４３】
第２の垂直線図形画像データは、第２の垂直線図形３３の画像データである。第２の垂直線図形３３は、ポイント図形３１から第２の軸２２に垂直に引いた第２の垂直線の図形である。この第２の垂直線図形３３と第２の軸２２との交点によって、ポイント図形３１の位置に対応する空腹時血中インスリンの値を容易に知ることができるようになる。
【００４４】
空腹時血糖画像データは、受付部１２が受け付けた空腹時血糖の値３４の画像データである。その空腹時血糖画像データは、第１の軸２１と第１の垂直線図形３２との交点の位置に表示される画像データである。第１の軸２１と第１の垂直線図形３２との交点の位置とは、その交点の真上であってもよく、その交点の近傍の位置であってもよい。この空腹時血糖の値３４が第１の軸２１と第１の垂直線図形３２との交点の位置に表示されることによって、ポイント図形３１の位置に対応する空腹時血糖の厳密な値を容易に知ることができるようになる。
【００４５】
空腹時血中インスリン画像データは、受付部１２が受け付けた空腹時血中インスリンの値３５の画像データである。この空腹時血中インスリン画像データは、第２の軸２２と第２の垂直線図形３３との交点の位置に表示される画像データである。第２の軸２２と第２の垂直線図形３３との交点の位置とは、その交点の真上であってもよく、その交点の近傍の位置であってもよい。この空腹時血中インスリンの値３５が第２の軸２２と第２の垂直線図形３３との交点の位置に表示されることによって、ポイント図形３１の位置に対応する空腹時血中インスリンの厳密な値を容易に知ることができるようになる。
【００４６】
ＨＯＭＡ−Ｒ画像データは、受付部１２が受け付けた空腹時血糖の値と、空腹時血中インスリンの値とに対応するＨＯＭＡ−Ｒの値３６の画像データである。このＨＯＭＡ−Ｒの値３６は、ポイント図形に対応するＨＯＭＡ−Ｒの値である。このＨＯＭＡ−Ｒの値３６が表示される位置は問わないが、例えば、図５で示されるように、ポイント図形３１の近傍であってもよい。
【００４７】
なお、ポイント図形画像データ、第１及び第２の垂直線図形画像データ、空腹時血糖画像データ、空腹時血中インスリン画像データ、ＨＯＭＡ−Ｒ画像データは、それぞれポイント図形等の画像データであり、最終的にポイント図形等を表示することができる画像データであれば、例えば、ラスタデータのように画像そのものであってもよく、ベクタデータのようにラスタライズされることによって画像となるデータであってもよい。また、このポイント図形画像データ等は、グラフ画像データの示すＨＯＭＡ−Ｒ電子グラフ２０上に生成されてもよく、ＨＯＭＡ−Ｒ電子グラフ２０とは別途、生成されてもよい。後者の場合には、ＨＯＭＡ−Ｒ電子グラフ２０上の表示位置を示す情報を各画像データが有していることが好適である。また、このポイント図形画像データ等は、図示しない記録媒体において一時的に記憶されてもよく、あるいは、画像データ記憶部１１において一時的に記憶されてもよい。
【００４８】
画像データ出力部１４は、画像データ記憶部１１からグラフ画像データを読み出し、そのグラフ画像データを、画像生成部１３が生成したポイント図形画像データや、第１及び第２の垂直線図形画像データ、空腹時血糖画像データ、空腹時血中インスリン画像データ、ＨＯＭＡ−Ｒ画像データと共に出力する。
【００４９】
ここで、この出力は、例えば、表示デバイス（例えば、ＣＲＴや液晶ディスプレイなど）への表示でもよく、所定の機器への有線または無線の通信回線を介した送信でもよく、プリンタによる印刷でもよく、記録媒体への蓄積でもよく、他の構成要素への引き渡しでもよい。なお、出力が、所定の機器への送信や記録媒体への蓄積、他の構成要素への引き渡しである場合であっても、最終的には、そのグラフ画像データ等が表示デバイスに表示されたり、プリンタで印刷されたりすることによって、ユーザに対してＨＯＭＡ−Ｒ電子グラフ２０やポイント図形３１等が視覚的に示されるものとする。本実施の形態では、出力は表示デバイスへの表示であるとする。また、画像データ出力部１４は、出力を行うデバイス（例えば、表示デバイスやプリンタなど）を含んでもよく、あるいは含まなくてもよい。また、画像データ出力部１４は、ハードウェアによって実現されてもよく、あるいは、それらのデバイスを駆動するドライバ等のソフトウェアによって実現されてもよい。
【００５０】
次に、本実施の形態によるＨＯＭＡ−Ｒ電子グラフ出力装置１の動作について、図２のフローチャートを用いて説明する。
【００５１】
（ステップＳ１０１）画像データ出力部１４は、グラフ画像データを出力するかどうか判断する。そして、出力する場合には、ステップＳ１０２に進み、そうでない場合には、出力すると判断するまでステップＳ１０１の処理を繰り返す。なお、画像データ出力部１４は、例えば、グラフ画像データを出力する旨の指示をＨＯＭＡ−Ｒ電子グラフ出力装置１が受け付けた場合にグラフ画像データを出力すると判断してもよく、その他のタイミングでグラフ画像データを出力すると判断してもよい。
【００５２】
（ステップＳ１０２）画像データ出力部１４は、画像データ記憶部１１からグラフ画像データを読み出す。
【００５３】
（ステップＳ１０３）画像データ出力部１４は、ステップＳ１０２で読み出したグラフ画像データを出力する。
【００５４】
（ステップＳ１０４）受付部１２は、空腹時血糖の値と、空腹時血中インスリンの値とを受け付けたかどうか判断する。そして、受け付けた場合には、ステップＳ１０５に進み、そうでない場合には、ステップＳ１０７に進む。なお、空腹時血糖の値と、空腹時血中インスリンの値とを受け付けは、前述のように、例えば、テンキーなどを用いた数値入力であってもよく、マウス等を操作してポイント図形３１を移動させるなどのＧＵＩを用いた入力であってもよい。
【００５５】
（ステップＳ１０５）画像生成部１３は、受付部１２が受け付けた空腹時血糖の値と、空腹時血中インスリンの値とに応じて、ポイント図形３１等の画像データを生成する。なお、この処理の詳細については、図３のフローチャートを用いて後述する。
【００５６】
（ステップＳ１０６）画像データ出力部１４は、画像生成部１３が生成したポイント図形３１等の画像データも出力する。そして、ステップＳ１０４に戻る。なお、画像データ出力部１４は、画像生成部１３が生成したポイント図形３１等の画像データと共に、グラフ画像データも出力してもよい。
【００５７】
（ステップＳ１０７）画像データ出力部１４は、グラフ画像データ等の出力を終了するかどうか判断する。そして、終了する場合には、ステップＳ１０１に戻り、そうでない場合には、ステップＳ１０４に戻る。なお、画像データ出力部１４は、例えば、グラフ画像データの出力を終了する旨の指示を受け付けた場合に、グラフ画像データ等の出力を終了すると判断してもよく、あるいは、画像データの出力を最後に行ってからあらかじめ決められた時間が経過した場合に、グラフ画像データ等の出力を終了すると判断してもよい。
【００５８】
なお、図２のフローチャートにおいて、電源オフや処理終了の割り込みにより処理は終了する。
また、図２のフローチャートにおいて、グラフ画像データを出力した後に、空腹時血糖等の値を受け付けて、ポイント図形３１等の画像データを出力する場合について説明したが、そうでなくてもよい。例えば、空腹時血糖等の値がテンキーなどによって数値入力される場合には、まず空腹時血糖等の値を受け付け、その後に、グラフ画像データや、ポイント図形３１等の画像データを一括して出力するようにしてもよい。
【００５９】
図３は、図２のフローチャートにおけるポイント図形３１等の画像データを生成する処理の詳細を示すフローチャートである。
【００６０】
（ステップＳ２０１）画像生成部１３は、受付部１２が受け付けた空腹時血糖等の値を用いて、ポイント図形画像データを生成する。画像生成部１３は、例えば、ＨＯＭＡ−Ｒ電子グラフ２０の座標平面における位置と、空腹時血糖の値、空腹時血中インスリンの値との対応表などを用いて、受付部１２が受け付けた空腹時血糖等の値がＨＯＭＡ−Ｒ電子グラフ２０の座標平面におけるどの位置に対応するのかを特定し、その特定した位置に、あらかじめ図示しない記録媒体で記憶されているポイント図形３１が表示されるように、ポイント図形画像データを生成してもよい。このように、ポイント図形画像データの生成は、例えば、ポイント図形３１の表示位置を決定する処理であってもよい。
【００６１】
（ステップＳ２０２）画像生成部１３は、ポイント図形３１から第１及び第２の軸２１，２２にそれぞれ垂直に伸びる第１及び第２の垂直線図形３２，３３の画像データである第１及び第２の垂直線図形画像データを生成する。例えば、ポイント図形３１に対応する空腹時血糖の値がＸであり、空腹時血中インスリンの値がＹである場合に、画像生成部１３は、（Ｘ，Ｙ）から（Ｘ，０）までの線分である第１の垂直線図形３２がＨＯＭＡ−Ｒ電子グラフ２０に表示されるように、第１の垂直線図形画像データを生成してもよい。同様に、画像生成部１３は、（Ｘ，Ｙ）から（０，Ｙ）までの線分である第２の垂直線図形３３がＨＯＭＡ−Ｒ電子グラフ２０に表示されるように、第２の垂直線図形画像データを生成してもよい。
【００６２】
（ステップＳ２０３）画像生成部１３は、前述のＨＯＭＡ−Ｒの値を算出する式に、受付部１２が受け付けた空腹時血糖等の値を代入することによってＨＯＭＡ−Ｒを算出し、そのＨＯＭＡ−Ｒの値３６を表示するためのＨＯＭＡ−Ｒ画像データを生成する。例えば、画像生成部１３は、あらかじめ図示しない記録媒体で記憶されている枠などの図形の画像データを読み出して、その画像データに算出したＨＯＭＡ−Ｒの数値のテキストを挿入することによって、ＨＯＭＡ−Ｒ画像データを生成してもよい。そのＨＯＭＡ−Ｒの値３６が表示される位置は、前述のように、ポイント図形３１の近傍であってもよく、あるいは、その他の位置であってもよい。なお、ＨＯＭＡ−Ｒの式は、図示しない記録媒体において記憶されていてもよい。
【００６３】
（ステップＳ２０４）画像生成部１３は、受付部１２が受け付けた空腹時血糖等の値を用いて、空腹時血糖の値３４、空腹時血中インスリンの値３５を表示するための画像データ、すなわち、空腹時血糖画像データ、空腹時血中インスリン画像データを生成する。例えば、画像生成部１３は、あらかじめ図示しない記録媒体で記憶されている枠などの図形の画像データを読み出して、その画像データに空腹時血糖等の数値のテキストを挿入することによって、空腹時血糖画像データや空腹時血中インスリン画像データを生成してもよい。そして、図２のフローチャートに戻る。
【００６４】
なお、図３のフローチャートにおいて、各画像データを生成する順序は問わない。したがって、任意の順番でポイント図形画像データや第１及び第２の垂直線図形画像データ等を生成してもよい。
【００６５】
次に、本実施の形態によるＨＯＭＡ−Ｒ電子グラフ出力装置１の動作について、具体例を用いて説明する。この具体例では、画像データ出力部１４が各種の画像データをディスプレイに出力することによって、ディスプレイ上にＨＯＭＡ−Ｒ電子グラフ２０やポイント図形３１等が表示されるものとする。
【００６６】
まず、ユーザがマウスやキーボードを操作することによって、ＨＯＭＡ−Ｒ電子グラフ２０を出力する旨の指示をＨＯＭＡ−Ｒ電子グラフ出力装置１に入力したとする。すると、画像データ出力部１４は、グラフ画像データを出力するタイミングであると判断し（ステップＳ１０１）、画像データ記憶部１１からグラフ画像データを読み出して、ディスプレイに出力する（ステップＳ１０２，Ｓ１０３）。その結果、図４で示されるＨＯＭＡ−Ｒ電子グラフ２０がディスプレイ上に表示されることになる。
【００６７】
次に、ユーザがマウスを操作することによって、ディスプレイに表示されているＨＯＭＡ−Ｒ電子グラフ２０の座標平面上の一点をクリックしたとする。すると、受付部１２は、空腹時血糖等の値を受け付けたと判断し、そのクリックされた点に対応する空腹時血糖の値と、空腹時血中インスリンの値とを取得する（ステップＳ１０４）。それらの値は、空腹時血糖の値が「１５０（ｍｇ／ｄｌ）」であり、空腹時血中インスリンの値が「１０．０（μＵ／ｍｌ）」であったとする。受付部１２は、それらの値を画像データ出力部１４に渡す。
【００６８】
画像データ出力部１４は、空腹時血糖等の値を受け取ると、ポイント図形３１等の画像データを生成する処理を行う（ステップＳ１０５）。具体的には、画像生成部１３は、受け取った空腹時血糖等の値に対応するポイント図形画像データを生成する（ステップＳ２０１）。また、画像生成部１３は、ポイント図形３１から第１及び第２の軸２１，２２にそれぞれ垂直に伸びる第１及び第２の垂直線図形３２，３３の画像データである第１及び第２の垂直線図形画像データを生成する（ステップＳ２０２）。また、画像生成部１３は、受け取った空腹時血糖等の値を用いて、ＨＯＭＡ−Ｒを算出し、そのＨＯＭＡ−Ｒ画像データを生成する（ステップＳ２０３）。また、画像生成部１３は、受け取った空腹時血糖等の値を用いて、空腹時血糖画像データ、空腹時血中インスリン画像データを生成する（ステップＳ２０４）。その後、画像データ出力部１４は、画像生成部１３が生成したポイント図形画像データ等を含むグラフ画像データをディスプレイに出力する（ステップＳ１０６）。その結果、図５で示される表示がなされる。なお、図５において、説明の便宜上、図４で表示していた着色に対応する網掛けを消去しているが、領域ごとの網掛け、すなわち着色がなされていてもよい。
【００６９】
ユーザは、図５の表示を見ることによって、ポイント図形３１が「インスリン抵抗あり」の領域に存在することを知ることができる。また、ユーザは、図５の空腹時血糖の値３４、空腹時血中インスリンの値３５を見ることによって、ポイント図形３１に対応する空腹時血糖の値が「１５０」であり、空腹時血中インスリンの値が「１０．０」であることを容易に知ることができる。また、ＨＯＭＡ−Ｒの値３６を見ることによって、ＨＯＭＡ−Ｒの数値「３．７０」も知ることができる。また、第１及び第２の垂直線図形３２，３３を見ることによって、空腹時血糖の値や空腹時血中インスリンの値がだいたいどのあたりにあるのかも容易に知ることができる。
【００７０】
なお、ポイント図形３１の位置が、ユーザが意図している位置でなかった場合、例えば、空腹時血糖の値が「１６０」であり、空腹時血中インスリンの値が「８．５」のインスリン抵抗性を知りたかった場合の操作について簡単に説明する。その場合には、ユーザは、ポイント図形３１をマウス等でドラッグすることにより、あるいは、目標とする新たな座標平面上の点をクリックすることにより、ポイント図形３１を移動させる。すると、その新たな座標平面上の点に対応する空腹時血糖の値と、空腹時血中インスリンの値とが受付部１２によって受け付けられ（ステップＳ１０４）、それらの値に対応するポイント図形画像データ等が生成されることによって、ＨＯＭＡ−Ｒ電子グラフ２０が更新される（ステップＳ１０５，Ｓ１０６）。このような処理を繰り返すことによって、ユーザは、ポイント図形３１によって示される空腹時血糖の値と、空腹時血中インスリンの値とを実際に測定された値に設定することができ、それらの値が測定された患者に関するインスリン抵抗性の有無や、その程度を知ることができ、また、ＨＯＭＡ−Ｒの数値を知ることができるようになる。
【００７１】
また、上記説明のようにポイント図形３１の位置を設定することによって、空腹時血糖の値と空腹時血中インスリンの値とを一括して設定してもよく、あるいは、空腹時血糖の値と空腹時血中インスリンの値とを別々に設定してもよい。後者の場合について簡単に説明する。例えば、第１及び第２の垂直線図形３２，３３をマウス等でドラッグすることにより、ポイント図形３１の位置を空腹時血糖が変化する方向のみ、あるいは、空腹時血中インスリンが変化する方向のみに移動させることができる場合には、ユーザは、マウス等を操作して、第１の垂直線図形３２をドラッグすることによって、第１の垂直線図形３２の位置を決定する。この操作によって、空腹時血糖の値を設定することができる。また、同様にして、ユーザは、マウス等を操作して、第２の垂直線図形３３をドラッグすることによって、第２の垂直線図形３３の位置を決定する。この操作によって、空腹時血中インスリンの値を設定することができる。このように、空腹時血糖の値と空腹時血中インスリンの値とを別々に設定できるようにすることで、一方の値のみに集中して設定の操作を行うことができるため、両者を一括して設定する場合よりも設定の操作が容易になりうる。なお、空腹時血糖の値と空腹時血中インスリンの値とを別々に設定する方法は、上記説明に限定されるものではなく、例えば、ポイント図形３１を空腹時血糖が変化する方向のみに移動させることができるモードでポイント図形３１の位置を変化させて空腹時血糖の値を設定し、その後に、ポイント図形３１を空腹時血中インスリンが変化する方向のみに移動させることができるモードでポイント図形３１の位置を変化させて空腹時血中インスリンの値を設定する方法であってもよく、あるいは、その他の方法であってもよい。また、空腹時血糖の値と空腹時血中インスリンの値とを別々に設定する場合に、その設定の順序は問わない。すなわち、空腹時血糖の値を先に設定してもよく、空腹時血中インスリンの値を先に設定してもよい。
【００７２】
以上のように、本実施の形態によるＨＯＭＡ−Ｒ電子グラフ出力装置１によれば、空腹時血中インスリンと、空腹時血糖とを用いて、インスリン抵抗性指数としてのＨＯＭＡ−Ｒが正常な範囲にあるのかどうかなどのインスリン抵抗性に関する情報、すなわち、インスリン抵抗性なしなのか、インスリン抵抗性ややありなのか、インスリン抵抗性ありなのかなどを容易に知ることができる。したがって、インスリン抵抗性を確認したい医師等の利便性を高めることができるというメリットがある。また、「インスリン抵抗性あり」の場合や、「インスリン抵抗性ややあり」の場合に、その程度がどれぐらいであるのかを視覚的に容易に読み取ることが可能となる。例えば、ポイント図形３１が「インスリン抵抗性ややあり」の領域の第２の双曲線２４に近い位置に存在する場合には、もう少しで「インスリン抵抗性あり」となってしまう「インスリン抵抗性ややあり」であることを容易に知ることができるようになる。
【００７３】
なお、本実施の形態では、ＨＯＭＡ−Ｒ画像データを常時出力する場合について説明したが、そうでなくてもよい。例えば、ポイント図形３１をマウス等で移動させることによって所望の空腹時血糖等の値を設定し、その後に決定ボタン等が押されると、ＨＯＭＡ−Ｒ画像データを出力するようにしてもよい。そのようにすることで、最終的に空腹時血糖等の値が設定されるまでの間に不要なＨＯＭＡ−Ｒの数値が表示されることを回避することができうる。
【００７４】
また、一般にＨＯＭＡ−Ｒが「１．６」よりも小さい場合がインスリン抵抗性なしであり、ＨＯＭＡ−Ｒが「２．５」よりも大きい場合がインスリン抵抗性ありであると判断されることが多いため、本実施の形態では、第１の値を「１．６」として、第２の値を「２．５」としたが、第１及び第２の値は、それらに限定されるものではない。例えば、学説や研究結果等に応じて、第１の値を「１．５」に設定してもよく、第２の値を「２．６」に設定してもよい。
【００７５】
また、第１の双曲線２３、及び第２の双曲線２４は、図１で示されるように、それらの双曲線が明らかに描かれているものであってもよく、あるいは、結果としてその双曲線の位置が分かるようになっていてもよい。後者の場合としては、例えば、第１の領域と第２の領域とが異なる色であることによって、その領域の境界である第１の双曲線２３の位置が分かるような場合がある。
【００７６】
また、第１から第３の領域の色は、その領域の性質に適合したものであることが好適である。例えば、第３の領域は、「インスリン抵抗性あり」の領域であるため、好ましくないことを想起させる赤色等で着色されることが好適である。また、第１の領域は「インスリン抵抗性なし」の領域であるため、正常であることを想起させる青色や緑色で着色されることが好適である。また、第２の領域は、その中間であるため、注意を喚起する黄色等で着色されることが好適である。なお、これらは一例であって、各領域が着色される場合における各領域の色が限定されないものであることはいうまでもない。
【００７７】
また、本実施の形態では、第１から第３の領域が領域ごとに異なる色で着色されている場合について説明したが、そうでなくてもよい。領域ごとに異なる網掛けがなされてもよく、領域ごとに異なる明度にされてもよい。また、領域ごとに異なる着色や網掛け等が何もなされていなくてもよい。その場合であっても、第１の双曲線２３と第２の双曲線２４とによって、領域を区別することができる。
【００７８】
また、図１では、領域ごとに、その領域に含まれるインスリン抵抗性を示す文字列「インスリン抵抗性なし」「インスリン抵抗性ややあり」「インスリン抵抗性あり」を表示する場合について説明したが、領域ごとに表示される文言は、それらに限定されるものではない。例えば、第１の領域に「正常」を表示し、第２の領域に「要注意」を表示し、第３の領域に「異常」を表示してもよい。また、そのような領域を特徴付ける文言を領域ごとに表示しないようにしてもよい。
【００７９】
また、図４では、２個の双曲線、すなわち、第１及び第２の双曲線２１，２２によって座標平面が３個の領域に分けられている場合について示しているが、そうでなくてもよい。例えば、１個の双曲線によって座標平面が２個の領域に分けられてもよく、３個の双曲線によって座標平面が４個の領域に分けられてもよい（例えば、ＨＯＭＡ−Ｒが１．０の双曲線と、１．６の双曲線と、２．５の双曲線によって、４個の領域に分けられてもよい）。すなわち、ＨＯＭＡ−Ｒ電子グラフ２０は、ＨＯＭＡ−Ｒが第１から第Ｎ（Ｎは１以上の整数である）の値となる場合の空腹時血中インスリンと空腹時血糖との関係をそれぞれ示す第１から第Ｎの双曲線を表示するものであってもよい。その場合に、その第１から第Ｎの双曲線によって分けられたＮ＋１個の領域が、領域ごとに異なる色で着色されていてもよく、あるいは、そうでなくてもよい。
【００８０】
また、前述の式によってＨＯＭＡ−Ｒを算出する方法では、空腹時血糖が１４０（ｍｇ／ｄｌ）、あるいは１８０（ｍｇ／ｄｌ）を超える場合には、不正確になることが知られている。したがって、ＨＯＭＡ−Ｒ電子グラフ２０において、空腹時血糖が１４０（ｍｇ／ｄｌ）、あるいは１８０（ｍｇ／ｄｌ）よりも大きい領域を表示しないようにしてもよい。
【００８１】
また、本実施の形態において、画像生成部１３は、空腹時血糖画像データ、空腹時血中インスリン画像データに代えて、第１及び第２の拡大図形画像データを生成してもよい。第１の拡大図形画像データは、第１の軸２１と第１の垂直線図形３２との交点の位置を拡大した図形である第１の拡大図形３７の画像データである（図７参照）。また、第２の拡大図形画像データは、第２の軸２２と第２の垂直線図形３３との交点の位置を拡大した図形である第２の拡大図形３８の画像データである。この第１及び第２の拡大図形３７，３８が表示されることによって、ポイント図形３１の位置に対応する空腹時血糖の値と、空腹時血中インスリンの値とをより厳密に知ることができるようになる。なお、第１及び第２の拡大図形３７，３８においてどれぐらいの倍率で拡大を行うのかは、あらかじめ決められていてもよい。例えば、２倍、５倍、１０倍などに定められていてもよい。
【００８２】
なお、第１及び第２の拡大図形画像データは、それぞれ第１及び第２の拡大図形３７，３８の画像データであり、最終的に第１及び第２の拡大図形３７，３８を表示することができる画像データであれば、例えば、ラスタデータのように画像そのものであってもよく、ベクタデータのようにラスタライズされることによって画像となるデータであってもよい。また、この第１及び第２の拡大図形画像データは、グラフ画像データの示すＨＯＭＡ−Ｒ電子グラフ２０上に生成されてもよく、ＨＯＭＡ−Ｒ電子グラフ２０とは別途、生成されてもよい。また、この第１及び第２の拡大図形画像データは、図示しない記録媒体において一時的に記憶されてもよく、あるいは、画像データ記憶部１１において一時的に記憶されてもよい。
【００８３】
また、この場合には、画像データ出力部１４は、グラフ画像データ等に加えて、第１及び第２の拡大図形画像データをも出力するものとする。
【００８４】
また、この場合におけるＨＯＭＡ−Ｒ電子グラフ出力装置１の動作も、図２のフローチャートによって示されるものである。ただし、ステップＳ１０５の処理の詳細は、図６のフローチャートで示されるようになる。図６のフローチャートにおいて、ステップＳ３０１以外の処理は、図３のフローチャートの説明と同様であり、その説明を省略する。
【００８５】
（ステップＳ３０１）画像生成部１３は、受付部１２が受け付けた空腹時血糖等の値を用いて、第１及び第２の拡大図形画像データを生成する。例えば、受付部１２が受け付けた空腹時血糖の値がＸであり、空腹時血中インスリンの値がＹである場合に、画像生成部１３は、第１の軸２１上のＸの位置を中心としてあらかじめ決められた拡大率だけ拡大した第１の拡大図形画像データを生成してもよい。また、画像生成部１３は、第２の軸２２上のＹの位置を中心としてあらかじめ決められた拡大率だけ拡大した第２の拡大図形画像データを生成してもよい。なお、画像生成部１３は、第１及び第２の拡大図形３７，３８においても、第１及び第２の垂直線図形３２，３３を表示することが好適である。また、画像生成部１３は、あらかじめ図示しない記録媒体で記憶されている枠などの図形の画像データを読み出して、その画像データに拡大した画像を挿入することによって、第１及び第２の拡大図形３７，３８を生成してもよい。その枠の形状は、例えば、図７で示されるように円形であってもよく、あるいは、矩形やその他の形状であってもよい。また、その枠の中心に、第１の軸２１と第１の垂直線図形３２との交点や、第２の軸２２と第２の垂直線図形３３との交点が位置することが好適である。
【００８６】
次に、画像生成部１３が第１及び第２の拡大図形画像データを生成する場合の動作の具体例について説明する。図４で示されるＨＯＭＡ−Ｒ電子グラフ２０が出力されるまでの処理は、上記説明と同様であり、その説明を省略する。その後、ユーザがマウスを操作することによって、ＨＯＭＡ−Ｒ電子グラフ２０の座標平面上の一点をクリックしたとする。すると、前述のようにして、空腹時血糖等の値が受付部１２で受け付けられ、ポイント図形画像データ等が生成される（ステップＳ２０１〜Ｓ２０３）。また、画像生成部１３は、受け取った空腹時血糖等の値を用いて、第１及び第２の拡大図形画像データを生成する（ステップＳ３０１）。そして、画像データ出力部１４は、それらの画像データをディスプレイに出力し、図７で示される表示がなされる（ステップＳ１０６）。なお、図７において、説明の便宜上、図４で表示していた着色に対応する網掛けを消去しているが、領域ごとの網掛け、すなわち着色がなされていてもよい。
【００８７】
ユーザは、図７の第１及び第２の拡大図形３７，３８を見ることによって、ポイント図形３１に対応する空腹時血糖等の値を容易に知ることができる。また、ユーザがポイント図形３１を移動させることによって、第１及び第２の拡大図形３７，３８も移動することになり、その第１及び第２の拡大図形３７，３８において拡大された目盛を見ることによって、ポイント図形３１の微妙な位置調整を行うことができるようになる。なお、ユーザがポイント図形３１を移動させる場合に、移動途中のポイント図形３１に対応する第１及び第２の拡大図形３７，３８の画像データを逐次、出力するようにしてもよく、あるいは、移動終了後のポイント図形３１に対応する第１及び第２の拡大図形３７，３８の画像データのみを出力するようにしてもよい。なお、ポイント図形３１を移動させると、そのポイント図形の移動と同様の速さで第１及び第２の拡大図形３７，３８も移動する。一方、第１及び第２の拡大図形３７，３８で拡大表示されている目盛等は、拡大率に応じた速さで変化することになる。拡大率が高いほど、その目盛等の変化は大きくなる。
【００８８】
ここでは、画像生成部１３が第１及び第２の拡大図形画像データを生成する際に、空腹時血糖画像データと、空腹時血中インスリン画像データとを生成しない場合について説明したが、そうでなくてもよい。画像生成部１３は、第１及び第２の拡大図形画像データと共に、空腹時血糖画像データ、空腹時血中インスリン画像データを生成し、画像データ出力部１４がそれらのデータも出力するようにしてもよい。そのようにすることで、ユーザは、第１及び第２の拡大図形３７，３８を用いて、空腹時血糖の値や、空腹時血中インスリンの値の微調整をすることができ（一般に、数値を見ながら微調整を行うよりも、数直線上で微調整を行う方が容易であると考えられる）、さらに、それらの厳密な値を空腹時血糖の値３４や、空腹時血中インスリンの値３５によって容易に知ることができる（一般に、数直線上で厳密な値を読み取るよりも、表示された値を読むだけの方が容易であると考えられる）。
【００８９】
また、本実施の形態において、画像生成部１３は、ポイント図形画像データやその他の画像データと共に、ポイント拡大図形画像データを生成してもよい。ポイント拡大図形画像データは、ポイント図形３１の位置を拡大した図形であるポイント拡大図形３９の画像データである（図９参照）。ポイント図形３１の位置とは、ポイント図形３１を含むポイント図形の近傍の範囲である。そのポイント拡大図形３９では、図９で示されるように、空腹時血糖が所定の値ごとの目盛線と、空腹時血中インスリンが所定の値ごとの目盛線が表示されてもよく、あるいは、表示されなくてもよい。図９では、縦の目盛線は、空腹時血糖が１（ｍｇ／ｄｌ）ごとの目盛線である。また、横の目盛線は、空腹時血中インスリンが０．１（μＵ／ｍｌ）ごとの目盛線である。また、ポイント拡大図形３９では、図９で示されるように、ポイント図形３１や、第１及び第２の垂直線図形３２，３３が表示されることが好適である。なお、ポイント拡大図形３９においてどれぐらいの倍率で拡大を行うのかは、あらかじめ決められていてもよい。例えば、２倍、５倍、１０倍などに定められていてもよい。
【００９０】
なお、ポイント拡大図形画像データは、ポイント拡大図形３９の画像データであり、最終的にポイント拡大図形３９を表示することができる画像データであれば、例えば、ラスタデータのように画像そのものであってもよく、ベクタデータのようにラスタライズされることによって画像となるデータであってもよい。また、このポイント拡大図形画像データは、グラフ画像データの示すＨＯＭＡ−Ｒ電子グラフ２０上に生成されてもよく、ＨＯＭＡ−Ｒ電子グラフ２０とは別途、生成されてもよい。また、このポイント拡大図形画像データは、図示しない記録媒体において一時的に記憶されてもよく、あるいは、画像データ記憶部１１において一時的に記憶されてもよい。
【００９１】
また、この場合には、画像データ出力部１４は、グラフ画像データ等に加えて、ポイント拡大図形画像データをも出力するものとする。この出力の際に、画像データ出力部１４は、ポイント拡大図形３９が最前面に表示されるように出力することが好適である。なお、図９では、ポイント拡大図形３９の背面側の図形等が見えないようになっているが、画像データ出力部１４は、ポイント拡大図形３９の背面側の図形等も見えるようにポイント拡大図形画像データを出力してもよい。
【００９２】
また、この場合におけるＨＯＭＡ−Ｒ電子グラフ出力装置１の動作も、図２のフローチャートによって示されるものである。ただし、ステップＳ１０５の処理の詳細は、図８のフローチャートで示されるようになる。図８のフローチャートにおいて、ステップＳ４０１以外の処理は、図３のフローチャートの説明と同様であり、その説明を省略する。
【００９３】
（ステップＳ４０１）画像生成部１３は、ポイント拡大図形画像データを生成する。例えば、受付部１２が受け付けた空腹時血糖の値がＸであり、空腹時血中インスリンの値がＹである場合に、画像生成部１３は、座標平面上の（Ｘ，Ｙ）の位置を中心としてあらかじめ決められた範囲を、あらかじめ決められた拡大率だけ拡大したポイント拡大図形画像データを生成してもよい。また、画像生成部１３は、あらかじめ図示しない記録媒体で記憶されている枠などの図形の画像データを読み出して、その画像データに拡大した画像を挿入することによって、ポイント拡大図形画像データを生成してもよい。また、画像生成部１３は、ポイント拡大図形３９において、あらかじめ決められた値ごとの目盛線や、空腹時血糖の軸における値、空腹時血中インスリンの軸における値、第１及び第２の垂直線図形３２，３３、ポイント図形３１を表示してもよい。
【００９４】
次に、画像生成部１３がポイント拡大図形画像データを生成する場合の動作の具体例について説明する。図４で示されるＨＯＭＡ−Ｒ電子グラフ２０が出力されるまでの処理は、上記説明と同様であり、その説明を省略する。その後、ユーザがマウスを操作することによって、ＨＯＭＡ−Ｒ電子グラフ２０の座標平面上の一点をクリックしたとする。すると、前述のようにして、空腹時血糖等の値が受付部１２で受け付けられ、ポイント図形画像データ等が生成される（ステップＳ２０１〜Ｓ２０４）。また、画像生成部１３は、ポイント拡大図形画像データを生成する（ステップＳ４０１）。そして、画像データ出力部１４は、それらの画像データをディスプレイに出力し、図９で示される表示がなされる（ステップＳ１０６）。なお、図９において、説明の便宜上、図４で表示していた着色に対応する網掛けを消去しているが、領域ごとの網掛け、すなわち着色がなされていてもよい。
【００９５】
ユーザは、図９のポイント拡大図形３９を見ることによって、ポイント図形３１に対応する空腹時血糖等の値を容易に知ることができる。また、ユーザがポイント図形３１を移動させることによって、ポイント拡大図形３９も移動することになり、そのポイント拡大図形３９において拡大された目盛線などを見ることによって、ポイント図形３１の微妙な位置調整を行うことができるようになる。なお、ポイント図形３１の位置調整が終了した後には、ポイント拡大図形３９を表示しないようにしてもよい。例えば、ポイント図形３１の位置調整が終了した後に、ユーザがその旨を入力する（例えば、ポイント拡大図形３９の一部をダブルクリックすることなどであってもよい）ことによって、画像データ出力部１４は、ポイント拡大図形画像データ以外のグラフ画像データ等を出力するようにしてもよい。そのようにすることで、ポイント拡大図形３９によって隠されていた背面側の双曲線等が表示されるようになり、図５で示されるような表示となる。なお、第１及び第２の拡大図形３７，３８を表示する際にも、このポイント拡大図形３９を表示するようにしてもよく、あるいは、そうしなくてもよい。また、ポイント拡大図形３９は、ポイント図形３１の移動に伴って移動してもよく、あるいは、ポイント図形３１がポイント拡大図形３９の座標平面上から外れるまでは、移動しなくてもよい。後者の場合には、ポイント拡大図形３９に記載される第１及び第２の垂直線図形３２，３３と、ＨＯＭＡ−Ｒ電子グラフ２０の座標平面上に記載される第１及び第２の垂直線図形３２，３３とは、ずれることもある。また、後者の場合には、ポイント図形３１がポイント拡大図形３９の座標平面上から外れた際には、例えば、そのポイント拡大図形３９でのポイント図形３１の座標平面上の最後の位置を中心とするポイント拡大図形３９が再度、表示されてもよい。
【００９６】
なお、本実施の形態において、図４で示されるＨＯＭＡ−Ｒ電子グラフ２０に代えて、図１０で示されるＨＯＭＡ−Ｒ電子グラフ２０のように、第１の補助双曲線４１と、第２の補助双曲線４２をも表示するようにしてもよい。第１及び第２の補助双曲線４１，４２は、ＨＯＭＡ−Ｒが所定の値ごとの空腹時血中インスリンと空腹時血糖との関係を示すものであり、空腹時血中インスリンと空腹時血糖から、ＨＯＭＡ−Ｒのおおよその値を読み取るために用いられるものである。図１０において、最も細い線の双曲線が第１の補助双曲線４１であり、その第１の補助双曲線４１よりも太い双曲線であって、第１及び第２の双曲線２３，２４ではない双曲線が第２の補助双曲線４２である。図１０では、第１の補助双曲線４１はＨＯＭＡ−Ｒが０．１ごとの空腹時血中インスリンと空腹時血糖との関係を示すものであり、第２の補助双曲線４２はＨＯＭＡ−Ｒが１．０ごとの空腹時血中インスリンと空腹時血糖との関係を示すものである。まだ、第２の補助双曲線４２については、対応するＨＯＭＡ−Ｒの値を示すために、第２の補助双曲線４２のそれぞれの右端に四角で囲った値が表示されている。被験者は、これらの第１及び第２の補助双曲線４１，４２を用いることによって、空腹時血中インスリンと空腹時血糖とから、電卓等を用いずに自らのＨＯＭＡ−Ｒのおおよその値を知ることができる。
【００９７】
ここで、図１０では、第１の補助双曲線４１を細い線として、第２の補助双曲線４２を太い線とすることによって、両者を区別可能にしているが、それ以外の方法によって両者を区別可能としてもよい。例えば、一方を実線として、他方を破線としてもよく、一方を一点鎖線とし、他方を二点鎖線としてもよく、両者の色が異なるようにしてもよく、両者の明度や輝度が異なるようにしてもよく、両者を区別可能とする方法は問わない。また、図１０では、第２の補助双曲線４２についてのみ対応するＨＯＭＡ−Ｒの値を表示するようにしているが、第１の補助双曲線４１についても、対応するＨＯＭＡ−Ｒの値を表示するようにしてもよく、あるいは、両者共に、対応するＨＯＭＡ−Ｒの値を表示しないようにしてもよい。また、図１０では、２種類の補助双曲線、すなわち、第１及び第２の補助双曲線４１，４２を表示する場合について示しているが、ＨＯＭＡ−Ｒ電子グラフ２０において、両者を区別することなく、１種類の補助双曲線を表示するようにしてもよく、あるいは、３種以上の補助双曲線を表示するようにしてもよい。また、第１及び第２の双曲線２３，２４と、第１及び第２の補助双曲線４１，４２とが区別可能となっていることが好適である。そのため、第１及び第２の双曲線２３，２４と、第１及び第２の補助双曲線４１，４２との種類（例えば、太さや色、実線であるのか、破線であるのかなど）が異なっていてもよく、あるいは、第１から第３の領域がそれぞれ異なる色で着色されていることによって、第１及び第２の双曲線２３，２４と、第１及び第２の補助双曲線４１，４２とが区別可能となっていてもよい。
【００９８】
また、本実施の形態によるＨＯＭＡ−Ｒ電子グラフ２０において、図１０で示されるように、空腹時血糖が所定の値ごとの第１の目盛線４３と、空腹時血中インスリンが所定の値ごとの第２の目盛線４４と、をさらに表示するようにしてもよい。図１０において、第１の目盛線４３は、空腹時血糖が５（ｍｇ／ｄｌ）ごとの目盛線である。また、第２の目盛線４４は、空腹時血中インスリンが１．０（μＵ／ｍｌ）ごとの目盛線である。被験者は、これらの第１及び第２の目盛線４３，４４を用いることによって、空腹時血中インスリンと空腹時血糖とからＨＯＭＡ−Ｒがどの領域に存在するのかを容易に確認することができるようになる。
【００９９】
図１０では、第１及び第２の目盛線４３，４４が破線である場合について示しているが、両者は実線であってもよく、鎖線であってもよく、その他の種類の線であってもよい。また、第１及び第２の目盛線４３，４４の間隔も図１０の場合に限定されるものではない。また、図１０では、第１及び第２の目盛線４３，４４の両方を表示する場合について示しているが、それらのうちの一方のみを表示するようにしてもよい。
【０１００】
被験者は、図１０で表示される第１及び第２の補助双曲線４１，４２と、第１及び第２の目盛線４３，４４とを用いることにより、空腹時血中インスリンと空腹時血糖とから、ＨＯＭＡ−Ｒがどの領域に存在するのかについてと、また、そのだいたいの値とを知ることができる。例えば、空腹時血中インスリンが４．０（μＵ／ｍｌ）であり、空腹時血糖が９０（ｍｇ／ｄｌ）である場合には、被験者は、第１及び第２の目盛線４３，４４と、第１及び第２の補助双曲線４１，４２とを用いることによって、ＨＯＭＡ−Ｒが第１の領域、すなわちインスリン抵抗性なしの領域に存在することができ、さらに、ＨＯＭＡ−Ｒ≒０．９であると知ることができる。
【０１０１】
また、ある被験者の空腹時血中インスリンと空腹時血糖との時間的変化をＨＯＭＡ−Ｒ電子グラフ２０に表示可能な場合には、第１及び第２の補助双曲線４１，４２を用いることによって、ＨＯＭＡ−Ｒが改善したのか、あるいは、悪化したのかなどを判断することもできうる。例えば、ある被験者のポイント図形３１の位置が時間的に変化していたとしても、いずれかの補助双曲線上を移動しているだけであれば、ＨＯＭＡ−Ｒが変化していないことになり、インスリン抵抗性は改善していないことが分かる。一方、ある被験者のポイント図形３１の位置が、ＨＯＭＡ−Ｒが大きい方の補助双曲線から、小さい方の補助双曲線に徐々に移動している場合には、インスリン抵抗性がない方向に徐々に改善していることが分かる。なお、過去のポイント図形３１の位置も表示するために、受付部１２は、過去の空腹時血糖の値や空腹時血中インスリンの値（これらの値は、データベース等で保持されているものであってもよい）を受け付け、画像生成部１３は、その過去の空腹時血糖の値等に対応するポイント図形３１の画像データであるポイント図形画像データをも生成し、画像データ出力部１４は、それらの画像データをも出力してもよい。また、ポイント図形３１の時間的な変化がわかりやすいように、あるポイント図形３１と、そのポイント図形３１に対して時間的に次となるポイント図形３１とを矢印で結ぶようにしてもよい。
【０１０２】
また、複数の被験者の空腹時血中インスリンと空腹時血糖とに対応する複数のポイント図形３１をＨＯＭＡ−Ｒ電子グラフ２０に表示可能な場合には、第１及び第２の補助双曲線４１，４２を用いることによって、被験者同士のＨＯＭＡ−Ｒを比較することができ、「被験者Ａよりも被験者Ｂのほうが、インスリン抵抗性が強い」などを知ることができるようになる。例えば、被験者Ａのポイント図形３１と、被験者Ｂのポイント図形３１とが同じ補助双曲線上に位置するのであれば、両者のＨＯＭＡ−Ｒが同じであることが容易に分かる。一方、被験者Ａのポイント図形３１が、被験者Ｂのポイント図形３１よりもＨＯＭＡ−Ｒが小さい方の補助双曲線に位置するのであれば、被験者ＡのＨＯＭＡ−Ｒの方が、被験者ＢのＨＯＭＡ−Ｒよりも小さいことが分かる。なお、複数の被験者に対応するポイント図形３１を表示するために、受付部１２は、複数の被験者に対応する空腹時血糖の値や空腹時血中インスリンの値を受け付け、画像生成部１３は、その複数の空腹時血糖の値や空腹時血中インスリンの値に対応する複数のポイント図形３１の画像データであるポイント図形画像データをも生成し、画像データ出力部１４は、それらの画像データをも出力してもよい。
【０１０３】
また、画像データ出力部１４がグラフ画像データ等をプリントアウトする場合には、そのプリントアウトされたＨＯＭＡ−Ｒ電子グラフ２０に表示された第１及び第２の補助双曲線４１，４２を用いることによって、ＨＯＭＡ−Ｒのだいたいの値を知ることができるようになる。その結果、ＨＯＭＡ−Ｒ電子グラフ出力装置１がないところであっても、そのプリントアウトされたＨＯＭＡ−Ｒ電子グラフ２０を用いることによって、ＨＯＭＡ−Ｒの値を知ることができるようになる。
【０１０４】
なお、図１０では、説明の便宜上、図４で示されるような領域ごとの網掛けや、領域を特徴付ける文言の領域ごとの表示を行っていないが、それらを行ってもよい。例えば、第１から第３の領域ごとに異なる色で着色することによって、領域の区別が明確になるようにしてもよい。また、図１０では、第１及び第２の補助双曲線４１，４２と、第１及び第２の目盛線４３，４４との両方を表示する場合について示しているが、それらのうちの一方のみを表示するようにしてもよい。
【０１０５】
また、ＨＯＭＡ−Ｒ電子グラフ出力装置１は、スタンドアロンの装置であってもよく、サーバ・クライアントシステムのサーバであってもよく、クライアントであってもよい。ＨＯＭＡ−Ｒ電子グラフ出力装置１がサーバである場合には、画像データ出力部１４は、各画像データをクライアントに送信することになる。また、ＨＯＭＡ−Ｒ電子グラフ出力装置１がクライアントである場合には、画像データ記憶部１１では、サーバから送信されたグラフ画像データが記憶されることになる。
【０１０６】
また、上記実施の形態では、画像生成部１３がＨＯＭＡ−Ｒ画像データ、空腹時血中インスリン画像データ、空腹時血糖画像データ、第１及び第２の垂直線図形画像データ、ポイント図形画像データを生成したり、画像生成部１３がＨＯＭＡ−Ｒ画像データ、第１及び第２の拡大図形画像データ、第１及び第２の垂直線図形画像データ、ポイント図形画像データを生成したりする場合について説明したが、そうでなくてもよい。例えば、画像生成部１３は、ＨＯＭＡ−Ｒ画像データを生成しなくてもよく、第１及び第２の拡大図形画像データを生成しなくてもよく、空腹時血中インスリン画像データ、及び空腹時血糖画像データを生成しなくてもよく、第１及び第２の垂直線図形画像データを生成しなくてもよい。これらの場合には、画像データ出力部１４は、画像生成部１３が生成しなかった画像データを出力しないことになる。また、画像生成部１３は、ポイント図形を生成しなくてもよい。画像生成部１３がポイント図形を生成しない場合には、ＨＯＭＡ−Ｒ電子グラフ出力装置１は、受付部１２と、画像生成部１３を備えていなくてもよく、単に画像データ記憶部１１で記憶されているグラフ画像データを読み出して出力するものであってもよい。その場合であっても、その出力されたグラフ画像データを見ることによって、ユーザは、空腹時血中インスリンと、空腹時血糖とを用いて、インスリン抵抗性指数の一つであるＨＯＭＡ−Ｒが正常な範囲にあるのかどうかなどのインスリン抵抗性に関する情報を容易に知ることができる。
【０１０７】
また、上記実施の形態において、各処理または各機能は、単一の装置または単一のシステムによって集中処理されることによって実現されてもよく、あるいは、複数の装置または複数のシステムによって分散処理されることによって実現されてもよい。
【０１０８】
また、上記実施の形態において、各構成要素が実行する処理に関係する情報、例えば、各構成要素が受け付けたり、取得したり、選択したり、生成したり、送信したり、受信したりした情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１０９】
また、上記実施の形態において、各構成要素等で用いられる情報、例えば、各構成要素が処理で用いるしきい値やアドレス、各種の設定値等の情報がユーザによって変更されてもよい場合には、上記説明で明記していない場合であっても、ユーザが適宜、それらの情報を変更できるようにしてもよく、あるいは、そうでなくてもよい。それらの情報をユーザが変更可能な場合には、その変更は、例えば、ユーザからの変更指示を受け付ける図示しない受付部と、その変更指示に応じて情報を変更する図示しない変更部とによって実現されてもよい。その図示しない受付部による変更指示の受け付けは、例えば、入力デバイスからの受け付けでもよく、通信回線を介して送信された情報の受信でもよく、所定の記録媒体から読み出された情報の受け付けでもよい。
【０１１０】
また、上記実施の形態において、ＨＯＭＡ−Ｒ電子グラフ出力装置１に含まれる２以上の構成要素が通信デバイスや入力デバイス等を有する場合に、２以上の構成要素が物理的に単一のデバイスを有してもよく、あるいは、別々のデバイスを有してもよい。
【０１１１】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１１２】
また、本考案は、以上の実施の形態に限定されることなく、種々の変更が可能であり、それらも本考案の範囲内に包含されるものであることは言うまでもない。
【産業上の利用可能性】
【０１１３】
以上より、本考案によるＨＯＭＡ−Ｒ電子グラフ出力装置によれば、空腹時血中インスリンと空腹時血糖とを用いて、例えば、インスリン抵抗性指数としてのＨＯＭＡ−Ｒが正常な範囲にあるのかどうかなどを容易に知ることができ、ＨＯＭＡ−Ｒの適否を判断するものとして有用である。
【図面の簡単な説明】
【０１１４】
【図１】本考案の実施の形態１によるＨＯＭＡ−Ｒ電子グラフ出力装置の構成を示すブロック図
【図２】同実施の形態によるＨＯＭＡ−Ｒ電子グラフ出力装置の動作を示すフローチャート
【図３】同実施の形態によるＨＯＭＡ−Ｒ電子グラフ出力装置の動作を示すフローチャート
【図４】同実施の形態における表示されたＨＯＭＡ−Ｒ電子グラフの一例を示す図
【図５】同実施の形態における表示されたＨＯＭＡ−Ｒ電子グラフの一例を示す図
【図６】同実施の形態によるＨＯＭＡ−Ｒ電子グラフ出力装置の動作を示すフローチャート
【図７】同実施の形態における表示されたＨＯＭＡ−Ｒ電子グラフの一例を示す図
【図８】同実施の形態によるＨＯＭＡ−Ｒ電子グラフ出力装置の動作を示すフローチャート
【図９】同実施の形態における表示されたＨＯＭＡ−Ｒ電子グラフの一例を示す図
【図１０】同実施の形態における表示されたＨＯＭＡ−Ｒ電子グラフの一例を示す図
【符号の説明】
【０１１５】
１  ＨＯＭＡ−Ｒ電子グラフ出力装置
１１  画像データ記憶部
１２  受付部
１３  画像生成部
１４  画像データ出力部
２０  ＨＯＭＡ−Ｒ電子グラフ
２１  第１の軸
２２  第２の軸
２３  第１の双曲線
２４  第２の双曲線
３１  ポイント図形
３２  第１の垂直線図形
３３  第２の垂直線図形
３４  空腹時血糖の値
３５  空腹時血中インスリンの値
３６  ＨＯＭＡ−Ｒの値
３７  第１の拡大図形
３８  第２の拡大図形
３９  ポイント拡大図形
４１  第１の補助双曲線
４２  第２の補助双曲線
４３  第１の目盛線
４４  第２の目盛線
【図１】
0003145671.tif 000003
【図２】
0003145671.tif 000004
【図３】
0003145671.tif 000005
【図４】
0003145671.tif 000006
【図５】
0003145671.tif 000007
【図６】
0003145671.tif 000008
【図７】
0003145671.tif 000009
【図８】
0003145671.tif 000010
【図９】
0003145671.tif 000011
【図１０】
0003145671.tif 000012